(57)【要約】【課題】サーキュレーション制御において、室内に温度ムラが生じているか否かが誤って判断されるおそれを低減することができる送風装置の提供。【解決手段】除加湿空気清浄機は、室内の温度ムラを解消するためのサーキュレーション制御を実行可能な除加湿空気清浄機であって、室内の温度を検出する温度検出部と、風量が可変であって室内に空気流れを生じさせるファンと、温度検出部によって検出された室内の温度を格納する室内温度記憶部を有する制御装置とを備える。制御装置は、サーキュレーション制御の実行中に、温度検出部によって検出された現在の室内の温度と室内温度記憶部に格納されている所定時間以上前の室内の温度との温度差を算出する。そして、制御装置は、前記温度差が所定温度差以下であると所定回数連続して判定したときに、ファンの風量を第１風量から第１風量よりも小さい第２風量に切り換える。【選択図】図９
2015025638.tif 000002
【特許請求の範囲】
【請求項１】
室内の温度ムラを解消するためのサーキュレーション制御を実行可能な送風装置であって、
前記室内の温度を検出する検出部（１９９）と、
風量が可変であって、前記室内に空気流れを生じさせるファン（５０）と、
前記検出部によって検出された前記室内の温度を格納する記憶部（９５）、を有する制御装置（９０）と、
を備え、
前記制御装置は、前記サーキュレーション制御の実行中に、前記検出部によって検出された現在の前記室内の温度と前記記憶部に格納されている所定時間以上前の前記室内の温度との温度差を算出し、前記温度差が所定温度差以下であると所定回数連続して判定したときに、前記ファンの風量を第１風量から前記第１風量よりも小さい風量である第２風量に切り換える、
送風装置（１００）。
【請求項２】
前記サーキュレーション制御の実行中に前記検出部によって検出された現在の前記室内の温度が所定温度未満である場合には、前記制御装置は、前記ファンの風量を前記第１風量から前記第１風量よりも小さい風量である第３風量に切り換える、
請求項１に記載の送風装置。
【請求項３】
前記第３風量は、前記第２風量よりも小さい風量である、
請求項２に記載の送風装置。
【請求項４】
前記所定時間は、１０分である、
請求項１から３のいずれか１項に記載の送風装置。
【請求項５】
前記記憶部には、０．５〜２分の範囲内のいずれかの時間毎の前記室内の温度が格納される、
請求項４に記載の送風装置。
【請求項６】
前記制御装置は、前記サーキュレーション制御の実行中に前記ファンの風量を前記第１風量から前記第２風量に切り換えた後に前記温度差が前記所定温度差より大きいと判定した場合には、前記ファンの風量を前記第２風量から前記第１風量に切り換える、
請求項１から５のいずれか１項に記載の送風装置。
【請求項７】
前記ファンによって生成される空気流れ中の空気を清浄化する空気清浄部（３０）、
を更に備える、
請求項１から６のいずれか１項に記載の送風装置。
【発明の詳細な説明】
【技術分野】
【０００１】
本発明は、送風装置に関する。
【背景技術】
【０００２】
従来より、室内の温度ムラを解消するために室内の空気を循環させるサーキュレーション制御を実行可能な送風装置がある。
【０００３】
例えば、特許文献１（特開２００１−４１５１８号公報）に開示されている送風装置として機能する空気清浄機では、検出された室内の温度に基づいて送風機の風量を変更するサーキュレーション運転が行われている。
【発明の概要】
【発明が解決しようとする課題】
【０００４】
ところで、特許文献１では、サーキュレーション運転として、過去３０分間の室内温度のうち最高温度又は最低温度と現在の室内温度とが比較され、その温度差が所定温度差以上である場合に風量が大きくなるように調整されている。すなわち、特許文献１では、一定期間内の室内温度のうちの最高温度又は最低温度と現在の室内温度とが比較されて、室内に温度ムラが生じているか否かが判断されている。このため、例えば窓が開けられて室内の温度が急激に下がるなど一定期間内に一時的に変化した室内の温度が、現在の室内温度と比較される可能性がある。このような場合には、実際には室内に温度ムラが生じていないにも拘わらず比較された室内温度の温度差が所定温度差以上となることで、室内に温度ムラが生じているか否かが誤って判断されるおそれがある。
【０００５】
そこで、本発明の課題は、サーキュレーション制御において、室内に温度ムラが生じているか否かが誤って判断されるおそれを低減することができる送風装置を提供することにある。
【課題を解決するための手段】
【０００６】
本発明の第１観点に係る送風装置は、室内の温度ムラを解消するためのサーキュレーション制御を実行可能な送風装置であって、検出部と、ファンと、制御装置と、を備える。検出部は、室内の温度を検出する。ファンは、風量が可変であって、室内に空気流れを生じさせる。制御装置は、記憶部を有する。記憶部は、検出部によって検出された室内の温度を格納する。また、制御装置は、サーキュレーション制御の実行中に、検出部によって検出された現在の室内の温度と記憶部に格納されている所定時間以上前の室内の温度との温度差を算出する。そして、制御装置は、前記温度差が所定温度差以下であると所定回数連続して判定したときに、ファンの風量を第１風量から第２風量に切り換える。なお、第２風量は、第１風量よりも小さい風量である。
【０００７】
本発明の第１観点に係る送風装置では、現在の室内の温度と所定時間以上前の室内の温度との温度差が比較され、その温度差が所定温度差以下である状態が所定回数連続したときに、ファンの風量が切り換えられる。このため、一定時間内に検出された室内の温度のうちの最高温度又は最低温度と現在の室内の温度との温度差が比較されその温度差が所定温度差以下であるときにファンの風量が切り換えられるよりも、サーキュレーション制御における室内に温度ムラが生じているか否かの判断の精度を上げることができる。
【０００８】
これによって、サーキュレーション制御において、室内に温度ムラが生じているか否かが誤って判断されるおそれを低減することができる。
【０００９】
本発明の第２観点に係る送風装置は、第１観点の送風装置において、サーキュレーション制御の実行中に検出部によって検出された現在の室内の温度が所定温度未満である場合には、制御装置は、ファンの風量を第１風量から第３風量に切り換える。なお、第３風量は、第１風量よりも小さい風量である。
【００１０】
ここで、室内の温度が低いときにファンの風量が大きいと、室内に居るユーザが寒さを感じてしまうおそれがある。この送風装置では、サーキュレーション制御の実行中であっても、室内の温度が所定温度未満である場合にはファンの風量が第１風量よりも小さい第３風量に切り換えられるため、サーキュレーション制御の実行中であっても、室内に居るユーザに寒さを感じさせるおそれを低減することができる。
【００１１】
本発明の第３観点に係る送風装置は、第２観点の送風装置において、第３風量は、第２風量よりも小さい風量である。この送風装置では、室内の温度が所定温度未満である場合には、ファンの風量が第２風量よりも小さい第３風量に切り換えられる。したがって、室内の温度が所定温度未満である場合にファンの風量が第１風量から第２風量に切り換えられるよりも、室内に居るユーザに寒さを感じさせるおそれを低減することができる。
【００１２】
本発明の第４観点に係る送風装置は、第１観点から第３観点のいずれかの送風装置において、所定時間は１０分である。
【００１３】
ここで、室内空間が大きければ大きいほど、室内の温度変化が生じ難い傾向にある。そうすると、サーキュレーション制御において、現在の室内の温度と過去の室内の温度との温度差が小さければ室内に温度ムラが生じていないと判断される場合、室内の温度変化が生じ難い状況であれば、該温度差を算出する対象となる現在と過去との時間の間隔が短かすぎると、室内に温度ムラが生じているか否かが誤って判断されるおそれがある。
【００１４】
この送風装置では、ファンの風量が切り換えられる際に現在の室内の温度と現在から１０分以上前の室内の温度とが比較されるため、例えば現在の室内の温度と現在から５分前の室内の温度とが比較されるよりも、室内に温度ムラが生じているか否かが誤って判断されるおそれを低減することができる。
【００１５】
本発明の第５観点に係る送風装置は、第４観点の送風装置において、記憶部には、０．５〜２分の範囲内のいずれかの時間毎の室内の温度が格納される。この送風装置では、記憶部に格納される個々の室内の温度の時間間隔が比較される室内の温度同士の時間間隔である所定時間よりも短いため、室内に温度ムラが生じているか否かが判断される際に比較される室内の温度はオーバーラップすることになる。したがって、例えば室内の温度が所定時間毎に記憶部に格納される場合と比較して、室内の温度変化を細やかに判断することができる。
【００１６】
本発明の第６観点に係る送風装置は、第１観点から第５観点のいずれかの送風装置において、制御装置は、サーキュレーション制御の実行中にファンの風量を第１風量から第２風量に切り換えた後に前記温度差が所定温度差より大きいと判定した場合には、ファンの風量を第２風量から第１風量に切り換える。この送風装置では、サーキュレーション制御の実行中には、室内の温度差が繰り返し比較されて、前記温度差に基づいてファンの風量が切り換えられるため、室内の温度ムラが生じている状態が長時間続くことを防止できる。
【００１７】
本発明の第７観点に係る送風装置は、第１観点から第６観点のいずれかの送風装置において、ファンによって生成される空気流れ中の空気を清浄化する空気清浄部を備える。このため、この送風装置では、室内の温度ムラを解消しつつ、室内の空気を清浄化することができる。
【発明の効果】
【００１８】
本発明の第１観点に係る送風装置では、サーキュレーション制御において、室内に温度ムラが生じているか否かが誤って判断されるおそれを低減することができる。
【００１９】
本発明の第２観点に係る送風装置では、サーキュレーション制御の実行中であっても、室内に居るユーザに寒さを感じさせるおそれを低減することができる。
【００２０】
本発明の第３観点に係る送風装置では、室内に居るユーザに寒さを感じさせるおそれを低減することができる。
【００２１】
本発明の第４観点に係る送風装置では、室内に温度ムラが生じているか否かが誤って判断されるおそれを低減することができる。
【００２２】
本発明の第５観点に係る送風装置では、室内の温度変化を細やかに判断することができる。
【００２３】
本発明の第６観点に係る送風装置では、室内の温度ムラが生じている状態が長時間続くことを防止できる。
【００２４】
本発明の第７観点に係る送風装置では、室内の温度ムラを解消しつつ、室内の空気を清浄化することができる。
【図面の簡単な説明】
【００２５】
【図１】本発明の一実施形態に係る除加湿空気清浄機の正面斜視図。
【図２】図１のII-II線断面図。
【図３】本発明の一実施形態に係る除加湿空気清浄機の分解図。
【図４】前面パネル、放電ユニット、フィルタユニット及び前フレームを取り外した状態における除加湿空気清浄機の正面図。
【図５】本発明の一実施形態に係る除加湿空気清浄機の運転時における空気の流れを表した概念図。
【図６】除湿ユニットの概略構成図。
【図７】操作パネルの外観図。
【図８】制御装置の制御ブロック図。
【図９】サーキュレーション運転制御部の処理の流れを示すフローチャート。
【図１０】室内温度記憶部に格納される室内温度データと時間との関係を示す概念図。
【発明を実施するための形態】
【００２６】
以下、図面を参照しながら、本発明の一実施形態について説明する。なお、以下の実施形態は、本発明の具体例であって、本発明の技術的範囲を限定するものではなく、発明の要旨を逸脱しない範囲で適宜変更が可能である。また、以下の説明において、上、下、左、右、正面（前）、背面（後）といった方向を示す語句を用いているが、これらの方向は、特にことわりのない限り、図１に示す方向を意味する。
【００２７】
（１）除加湿空気清浄機１００
（１−１）概要
図１は、本発明の一実施形態に係る除加湿空気清浄機（以下、除加湿空清機と記載）１００の正面斜視図である。除加湿空清機１００は、床置きタイプで、室内の床などに設置される。
【００２８】
除加湿空清機１００は、空気清浄運転、除湿運転、加湿運転などの複数の運転モードを備えており、ユーザからの指示に応じてこれらの運転が個別に又は組み合わせて選択される。例えば、除加湿空清機１００は、運転モードとして空気清浄運転が選択されると、室内空間の空気を取り込み、塵埃などを除去して室内空間に排出する空気清浄運転を行う。また、除加湿空清機１００は、運転モードとして除湿運転が選択されると、室内空間の空気を取込んで除湿して室内空間に排出する除湿運転を行う。また、除加湿空清機１００は、運転モードとして加湿運転が選択されると、室内空間の空気を取込んで加湿して室内空間に排出する加湿運転を行う。なお、除湿運転及び加湿運転では、除湿運転及び加湿運転と組み合わせて空気清浄運転が行われる。
【００２９】
また、除加湿空清機１００はサーキュレーション運転を実行可能であり、サーキュレーション運転はユーザからの指示に応じて他の運転と組み合わせて実行される。サーキュレーション運転は、除加湿空清機１００の設置された室内の上部と下部とに生じる温度ムラを解消するための運転であって、ファン５０の風量を変更することで実行される運転である。
【００３０】
さらに、除加湿空清機１００は、最大風量運転、強風量運転、標準風量運転、弱風量運転及び静風量運転からなる５段階の風量モードを備えている。各風量運転において生成される風量はそれぞれ異なっており、最大風量運転において生成される風量が最も大きく、静風量運転において生成される風量が最も小さい。
【００３１】
（２）除加湿空清機１００の詳細構成
以下、図１から図９を参照して除加湿空清機１００の詳細について説明する。図２は、図１のII-II線断面図である。図３は、除加湿空清機１００の分解図である。図４は、前面パネル１６、放電ユニット２０、フィルタユニット３０及び前フレーム４１を取り外した状態における除加湿空清機１００の正面図である。図５は、除加湿空清機１００の運転時における空気の流れを表した概念図である。
【００３２】
（２−１）本体ケーシング１０
除加湿空清機１００の外郭は、略直方体状の本体ケーシング１０によって構成されている。本体ケーシング１０は、主として、底面部１１、背面部１２、左側壁部１３、前面パネル１６及び天井部１５を含むケーシング部材によって構成されている。
【００３３】
底面部１１は、平面視において左右方向に長い略長方形状を呈しており、除加湿空清機１００の底面部分を構成している。
【００３４】
背面部１２は、除加湿空清機１００の背面部分及び右側面部分を構成している。背面部１２の下端部は平面視において略Ｌ字状を呈しており、下端部分が底面部１１に固定される。
【００３５】
左側壁部１３は、除加湿空清機１００の左側面部分を構成している。左側壁部１３には、水タンク用開口１３ａと、ドレンタンク用開口１３ｂとが形成されている。本体ケーシング１０内には、水タンク用開口１３ａ及びドレンタンク用開口１３ｂから右側（内側）に向かって、水タンク７３及びドレンタンク２４０を収納するための空間が形成されている。なお、除加湿空清機１００の運転時には、水タンク用開口１３ａ及びドレンタンク用開口１３ｂは、本体ケーシング１０内に水タンク７３及びドレンタンク２４０が収納されることで閉じられている（図１参照）。
【００３６】
天井部１５は、除加湿空清機１００の天井部分を構成しており、背面部１２及び左側壁部１３に固定される。天井部１５の前部は、正面方向に下り勾配がつけられるように傾斜して配設されている。また、天井部１５の前部には、ユーザが指示を入力する操作パネル１１５が配設されている。
【００３７】
さらに、本体ケーシング１０の天井部分には、本体ケーシング１０内から室内へと清浄化した空気を吹き出すための吹出口１０３が形成されている。吹出口１０３は、天井部１５の後部と背面部１２の上部との間に位置している。吹出口１０３は、除加湿空清機１００が運転停止状態にある時には、吹出口羽根１５１によって覆われて閉状態となっている。また、吹出口１０３は、除加湿空清機１００が運転状態にある時には、吹出口羽根１５１が駆動することで露出して開状態となっている。なお、吹出口羽根１５１は、吹出口羽根モータＭ１５１（図８参照）が駆動することによって駆動する。
【００３８】
前面パネル１６は、除加湿空清機１００の正面部分を構成している。前面パネル１６は、底面部１１及び天井部１５に固定されており、正面方向に引っ張ることにより取り外しが可能である。
【００３９】
さらに、本体ケーシング１０の側面部分には、室内の空気を内部に取り込むための側方吸込口１０２が形成されている。側方吸込口１０２は、右側方吸込口１０２ｂと左側方吸込口１０２ａとを含む。右側方吸込口１０２ｂは、前面パネル１６の右側部と背面部１２との間に位置している。左側方吸込口１０２ａは、前面パネル１６の左側部と左側壁部１３との間に位置している。右側方吸込口１０２ｂ及び左側方吸込口１０２ａは、本体ケーシング１０の上下方向に延びるように形成されている。また、左側方吸込口１０２ａ近傍には、温度検出部１９９（図８参照）が配備されている。温度検出部１９９は、本体ケーシング１０内に取り込んだ室内の空気の温度を検出し、所定期間毎に検出結果を制御装置９０へと送る。
【００４０】
以上のように構成される本体ケーシング１０の内部には、放電ユニット２０、フィルタユニット３０、フレーム４０、ファン５０、除湿ユニット６０、加湿ユニット７０、ストリーマ放電ユニット８０、放出イオン生成ユニット８１及び電装品箱９０ａ等が収納されている。なお、本実施形態の本体ケーシング１０は、底面部１１、背面部１２、左側壁部１３、天井部１５及び前面パネル１６などから構成されているが、これらが一体に成形されて構成されていてもよい。
【００４１】
（２−２）放電ユニット２０
放電ユニット２０は、左側放電ユニット２０ａと、右側放電ユニット２０ｂとを含む。左側放電ユニット２０ａ及び右側放電ユニット２０ｂは、縦長の筒状の形状を呈している。左側放電ユニット２０ａは、左側方吸込口１０２ａの近傍に配置される。右側放電ユニット２０ｂは、右側方吸込口１０２ｂの近傍に配置される。このため、左側方吸込口１０２ａから取り込まれた空気は左側放電ユニット２０ａを通過し、右側方吸込口１０２ｂから取り込まれた空気は右側放電ユニット２０ｂを通過する。
【００４２】
左側放電ユニット２０ａ及び右側放電ユニット２０ｂは、正極であるタングステン製のイオン化線と、負極であるステンレス金属製の板状の電極とを有する。
【００４３】
また、放電ユニット２０は、電装品箱９０ａの内部に配設された第１電源部１２０（図８参照）と接続されている。第１電源部１２０は、後述する制御装置９０から電力供給を行わせる信号または電力供給を停止させる信号をうけて、放電ユニット２０への電力の供給または遮断を行う。放電ユニット２０では、第１電源部１２０から電力が供給されて高電圧を印加されると、正極と負極との電極間に電位差が生じコロナ放電が起こってイオンが生成される。この放電によって、左側放電ユニット２０ａ及び右側放電ユニット２０ｂを通過する空気中の塵埃が帯電する。
【００４４】
（２−３）フィルタユニット３０
フィルタユニット３０は、側方吸込口１０２から本体ケーシング１０内に取り込まれた空気流ＡＦが通過するように、本体ケーシング１０内に配設されている。フィルタユニット３０は、図５に示されるように、プレフィルタ３１と、静電集塵フィルタ３２と、脱臭フィルタ３３とから構成されている。
【００４５】
本体ケーシング１０内に流入した空気流ＡＦは、まずプレフィルタ３１を通過することで、空気中から大きな塵埃が取り除かれる。
【００４６】
次に、プレフィルタ３１よりも集塵性能が高い静電集塵フィルタ３２によって、放電ユニット２０を通過して帯電した微細な塵埃や菌などが取り除かれる。なお、除加湿空清機１００が運転状態にある場合、静電集塵フィルタ３２は、放電ユニット２０を通過する塵埃とは反対の極性に帯電する。例えば、放電ユニット２０を通過する塵埃などがプラスの電荷に帯電する場合には、静電集塵フィルタ３２はマイナスの電荷に帯電する。これにより、放電ユニット２０を通過した空気流ＡＦに含まれる微細な塵埃や菌などは、静電集塵フィルタ３２に吸着されるようになっている。
【００４７】
そして、静電集塵フィルタ３２を通過した空気は、活性炭などから構成される脱臭フィルタ３３によってホルムアルデヒドや臭い成分などが分解／吸着される。
【００４８】
（２−４）フレーム４０
フレーム４０は、例えば合成樹脂製であって、前フレーム４１、中央フレーム４２及び後フレーム４３を含む。
【００４９】
前フレーム４１の正面部分には、フィルタユニット３０が固定される。また、前フレーム４１の左右両端部には、上下方向に沿って鉛直風通路部材４１０が配設されている。鉛直風通路部材４１０には、複数の放出口４１ａが上下方向に並ぶように形成されている。さらに、前フレーム４１の上部には、ストリーマ放電ユニット８０が固定される。
【００５０】
中央フレーム４２は前フレーム４１の背面側に配置される。また、中央フレーム４２の正面側には、後述する除湿ユニット６０の凝縮器６３及び蒸発器６１が配置される。また、中央フレーム４２の背面側には、加湿ユニット７０が配置される。さらに、中央フレーム４２の下側には、ドレンタンク２４０が配置されている。
【００５１】
後フレーム４３は、中央フレーム４２の背面側に配置されている。また、中央フレーム４２と後フレーム４３との間には、加湿ユニット７０が配置されている。さらに、後フレーム４３の上部には、除加湿空清機１００の駆動を制御する制御装置６０を収納した電装品箱９０ａが固定されている。後フレーム４３の中央部分には、ベルマウス形状のファンベルマウス４３１が配設されている。そして、後フレーム４３の背面側にはファン５０が配置されており、ファンベルマウス４３１を介して空気流ＡＦがファン５０に流入する。
【００５２】
（２−５）ストリーマ放電ユニット８０
ストリーマ放電ユニット８０は、正極であるタングステン製の針状の電極と、該電極に対向する板状の電極（対向電極）と、を有する。ストリーマ放電ユニット８０は、電装品箱９０ａの内部に配設された第２電源部１８０（図８参照）と接続されている。第２電源部１８０は、制御装置９０から電力供給を行わせる信号または電力供給を停止させる信号をうけて、ストリーマ放電ユニット８０への電力の供給または遮断を行う。
【００５３】
ストリーマ放電ユニット８０は、第２電源部１８０から電力を供給されて針状電極に高電圧が印加されると、プラズマ放電の一種であるストリーマ放電を発生させる。このストリーマ放電発生の際に酸化分解力の高いイオンである活性種が生成される。ストリーマ放電ユニット８０によって生成された活性種は、ストリーマ放電ユニット８０を通過する空気と共に鉛直風通路部材４１０に流入する。そして鉛直風通路部材４１０に流入した空気及び活性種は、放出口４１ａから放出され、空気流ＡＦと合流してフィルタユニット３０を通過する。この際、活性種は、静電集塵フィルタ３２に吸着された塵埃や細菌などを分解して浄化する。
【００５４】
（２−６）放出イオン生成ユニット８１
放出イオン生成ユニット８１は、後述するファン５０のスクロールケーシング５２に固定されている（図３参照）。放出イオン生成ユニット８１は、図示しない連通口を介してスクロールケーシング５２内の排出流路と連通している。
【００５５】
放出イオン生成ユニット８１の内部には、高圧電極と接地電極とが収容されており、線状の放電針電極が高圧電極に電気的に接続されている（図示省略）。
【００５６】
また、放出イオン生成ユニット８１は、電装品箱９０ａの内部に配設された第３電源部１８１（図８参照）と接続されている。第３電源部１８１は、後述する制御装置９０から電力供給を行わせる信号または電力供給を停止させる信号をうけて、放出イオン生成ユニット８１への電力の供給または遮断を行う。放出イオン生成ユニット８１では、第３電源部１８１から電力の供給をうけ、高圧電極から放電針電極にマイナスの高電圧が印加されることで、放電針電極と接地電極との間に強電界を生じさせる。そして、放電針電極の先端部近傍が絶縁破壊してコロナ放電状態になり、マイナスイオンが生成される。そして、生成されたマイナスイオンは、連通口を介してスクロールケーシング５２内に流出する。
【００５７】
（２−７）ファン５０
ファン５０は、風量が可変であって、室内に空気流れを生じさせる。また、図５に示すように、ファン５０は、本体ケーシング１０内に流入し本体ケーシング１０外へ流出する空気流ＡＦを生成する。本実施形態のファン５０は、いわゆるシロッコファンであって、主として、ファンロータ５１と、ファンロータ５１を収容するスクロールケーシング５２とを含む。
【００５８】
ファンロータ５１は、その背面側に配設されたファンモータＭ１５０の回転軸と接続されており、ファンモータＭ１５０が駆動することにより回転する。ファンモータＭ１５０が駆動すると、ファンロータ５１は、空気を、回転軸が延びる方向から吸い込み、径方向へと吹き出す。
【００５９】
ファンモータＭ１５０は、後述するファンモータ駆動部１９２（図８参照）と接続されている。ファンモータ駆動部１９２は、電装品箱９０ａ内部に配設されており、電力の供給または遮断を行うことで、ファンモータＭ１５０を駆動させ、またはファンモータＭ１５０の駆動を停止させる。また、ファンモータ駆動部１９２は、後述するファン制御部９２（図８参照）から指定回転数駆動制御信号（後述）をうけて、当該信号において指定された回転数でファンモータＭ１５０が駆動するように電力の供給を行う。さらに、ファンモータ駆動部１９２は、ファン制御部９２からファン停止信号をうけると、電力の供給を停止する。
【００６０】
スクロールケーシング５２は、ファンロータ５１が収容されるスクロール湾曲部を有する合成樹脂製のケーシング部材である。スクロールケーシング５２は、後フレーム４３の背面部分に固定されている。スクロールケーシング５２は前方に開口しており、該開口がファン５０の吸入口５０ａとして機能する。また、スクロールケーシング５２の上部には開口が形成されており、該開口がファン５０の排出口５０ｂとして機能する。排出口５０ｂは、吹出口１０３と接続されており、吹出口１０３が露出すると排出口５０ｂも露出するようになっている。
【００６１】
このような構成により、図５に示すように、ファン５０が駆動すると、除加湿空清機１００内に流入して除加湿空清機１００外に流出する空気の流れである空気流ＡＦが生成される。空気流ＡＦが生成されると、室内の空気が、側方吸込口１０２を介して除加湿空清機１００内に取り込まれる。除加湿空清機１００内に取り込まれた室内の空気は、放電ユニット２０及びフィルタユニット３０を通過して塵埃や臭い成分などが取り除かれる。そして、放電ユニット２０及びフィルタユニット３０を通過した空気流ＡＦは、除湿ユニット６０及び加湿ユニット７０を通過し、除加湿空清機１００が除湿モードにある場合には除湿され、除加湿空清機１００が加湿モードにある場合には加湿される。その後、吹出口１０３を介して除加湿空清機１００外へ吹き出されて室内へ戻される。
【００６２】
なお、空気流ＡＦの一部は、除加湿空清機１００外へ吹き出されずに支流ＢＦとしてストリーマ放電ユニット８０を通過する。ストリーマ放電ユニット８０を通過した支流ＢＦは、活性種を含んで鉛直風通路部材４１０に流入し、放出口４１ａを介してフィルタユニット３０を通過する空気流ＡＦに合流することになる。
【００６３】
（２−８）除湿ユニット６０
以下、図１から図６を参照して除湿ユニット６０について説明する。図６は、除湿ユニット６０の概略構成図である。
【００６４】
除湿ユニット６０は、除加湿空清機１００が除湿運転時に駆動され、空気流ＡＦの除湿を行う。除湿ユニット６０は、主として、圧縮機６２、蒸発器６１、凝縮器６３、キャピラリーチューブ６４を有する冷媒回路６６と、ドレンタンク２４０と、を備えている。なお、冷媒としては、例えば、Ｒ１３４ａ、ＣＯ2などの様々な冷媒が採用される。
【００６５】
冷媒回路６６は、圧縮機６２、凝縮器６３、キャピラリーチューブ６４、蒸発器６１が銅製の冷媒配管６５によって接続されて構成されている。
【００６６】
圧縮機６２は、例えばロータリ式やスクロール式の密閉型圧縮機である。圧縮機６２は、流入するガス冷媒を圧縮する。圧縮機６２は、アキュームレータ６２ａを有しており、液冷媒の流入が抑制されている。圧縮機６２が駆動されると、除湿ユニット６０の冷媒回路６６内を冷媒が循環する。圧縮機６２は、内蔵される圧縮機モータＭ１６２が駆動することにより運転状態となる。圧縮機モータＭ１６２は、後述する制御装置９０と圧縮機モータ駆動部（図示せず）を介して接続されており、電力を供給されることにより駆動し、電力の供給が遮断されることで停止する。
【００６７】
蒸発器６１は、例えばクロスフィン型式の熱交換器であって、前フレーム４１の背面側に位置するように配設される。すなわち、蒸発器６１は、フィルタユニット３０の下流側に位置する。蒸発器６１は、空気流ＡＦ中の空気と熱交換することにより、蒸発器６１内を流通する液冷媒を蒸発させ、空気流ＡＦ中の空気を露点温度以下に冷却して除湿する。なお、空気流ＡＦが蒸発器６１を通過する際に結露したドレン水は、蒸発器６１及び凝縮器６３の下方に配置されたドレンパン２００で受けられ、ドレンパン２００からドレンタンク２４０へと導かれて貯水される。
【００６８】
凝縮器６３は、例えばクロスフィン型式の熱交換器であって、蒸発器６１の背面側に近接して配設される。凝縮器６３は、空気流ＡＦ中の空気と熱交換することにより、凝縮器６３内を流通するガス冷媒を凝縮させ、空気流ＡＦ中の空気を加熱する。
【００６９】
キャピラリーチューブ６４は、蒸発器６１に流入する液冷媒を膨張させる膨張手段である。すなわち、キャピラリーチューブ６４は、凝縮器６３から流出する高圧の液冷媒を通過させることで膨張させて減圧する。
【００７０】
このように構成された冷媒回路６６では、圧縮機６２が駆動することで冷媒が冷媒回路６６内を循環し、蒸発器６１が本体ケーシング１０内に流入する室内の空気の除湿を行う。
【００７１】
ドレンタンク２４０は、蒸発器６１で発生したドレン水を貯水するためのものである。ドレンタンク２４０は、本体ケーシング１０内に収納されている（図１参照）。また、ドレンタンク２４０には、指を差し込んで掴める程度の窪み部２４０ａが形成されており、窪み部２４０ａに指を差し込んで左方向に引っ張ると、本体ケーシング１０からドレンタンク２４０を取り外せるようになっている。このように、ドレンタンク２４０を着脱可能に構成することで、ドレンタンク２４０に貯まったドレン水を容易に排水することができるようになっている。
【００７２】
（２−９）加湿ユニット７０
加湿ユニット７０は、図１から図５に示すように、蒸発器６１及び凝縮器６３の背面側（空気流ＡＦの下流側）に位置しており、加湿運転時には気化した水分を空気流ＡＦ中の空気に含ませることで加湿する。
【００７３】
加湿ユニット７０は、図３に示すように、主として、貯留部７２と、水タンク７３と、加湿ロータ７１とを備えている。
【００７４】
貯留部７２は、水タンク７３から供給される水を貯水する。水タンク７３は、貯留部７２に供給する水を貯水するためのタンクであり、本体ケーシング１０内に収納されている（図１参照）。また、水タンク７３には、指を差し込んで掴める程度の窪み部７３ａが形成されており、窪み部７３ａに指を差し込んで左方向に引っ張ると、本体ケーシング１０から水タンク７３を取り外せるようになっている。このように、水タンク７３を着脱可能に構成することで、容易に水タンク７３内に水を入れることができるようになっている。
【００７５】
加湿ロータ７１は、加湿ユニットモータＭ１７１（図８参照）が駆動することにより回転する。加湿ユニットモータＭ１７１は、後述する制御装置９０と加湿ユニットモータ駆動部（図示せず）を介して接続されており、電力供給を行わせる信号または電力供給を停止させる信号をうけて、加湿ロータ７１を回転させ、又は加湿ロータ７１の回転を停止させる。また、加湿ロータ７１は、気化フィルタの外周にリング状フレームが取り付けられた構造を有しており、加湿運転時には気化フィルタから水が気化することによって加湿が行われる。リング状フレームには柄杓部（図示省略）が設けられている。該柄杓部は、加湿ロータ７１が回転すると、貯留部７２から水をくみ上げて気化フィルタに水を供給するように構成されている。
【００７６】
（２−１０）操作パネル１１５
図７は、操作パネル１１５の外観図である。操作パネル１１５は、主として、入力キー１１６と、表示部１１７とを有している（図７参照）。除加湿空清機１００には、ユーザによって入力キー１１６が押下されることにより所定の指令が入力される。
【００７７】
入力キー１１６は、運転入／切キー、運転切換キー及び風量キーなどを含んでいる。運転入／切キーは除加湿空清機１００の運転を開始する指令（以下、運転開始指令と記載）、又は除加湿空清機１００の運転を停止する指令（以下、運転停止指令と記載）が入力されるボタンである。なお、運転停止指令は、除加湿空清機１００の運転が開始されている状態で運転入／切キーが押下されることで入力される。運転切換キーは、除湿運転を実行する指令、除湿運転の実行を解除する指令、加湿運転を実行する指令及び加湿運転の実行を解除する指令が入力されるボタンである。また、風量キーは、ユーザが風量モードを選択するためのボタンであって、押下されることで風量モードを変更する指令（以下、風量モード変更指令と記載）が入力される。
【００７８】
また、入力キー１１６は、サーキュレーターキー１１６ａを含んでいる。サーキュレーターキー１１６ａは、サーキュレーション運転の導入を選択する指令（以下、サーキュレーション運転導入指令と記載）が入力されるボタンである。なお、サーキュレーション運転の導入が選択されている状態で、運転入／切キー又はサーキュレーターキー１１６ａが押下されると、サーキュレーション運転を解除する指令（以下、サーキュレーション運転解除指令と記載）が入力され、サーキュレーション運転が解除される。このような入力キー１１６を介して入力された指令は、制御装置９０に送られる。
【００７９】
表示部１１７は、液晶パネルやＬＥＤなどで構成されており、現在温度、温度設定、吹出口羽根１５１の姿勢、及び風量モードなどを表示する。
【００８０】
（２−１１）制御装置９０
制御装置９０は、電装品箱９０ａの内部に配設されている。制御装置９０は、ＲＡＭ、ＲＯＭ及びＣＰＵなどを含むマイクロコンピュータであって、インターフェース９１１を介して接続された各種機器の動作を制御する。
【００８１】
（３）制御装置９０の詳細
以下、図８を参照して制御装置９０の詳細について説明する。図８は、制御装置９０の概略構成と、制御装置９０に接続されている機器とを示す模式図である。
【００８２】
制御装置９０は、インターフェース９１１を介して、温度検出部１９９、入力キー１１６、表示部１１７、吹出口羽根モータＭ１５１、ファンモータ駆動部１９２、圧縮機モータＭ１６２、加湿ユニットモータＭ１７１、第１電源部１２０、第２電源部１８０、第３電源部１８１等と、配線９１２で接続されている。制御装置９０は、入力キー１１６を介して入力されたユーザからの所定の指令に基づいて、接続された各種機器の動作を制御する。
【００８３】
また、制御装置９０は、主として、記憶部９１、ファン制御部９２及びサーキュレーション運転制御部９３を備えている。
【００８４】
（３−１）記憶部９１
記憶部９１は、各運転に応じた制御プログラムを保持している。また、記憶部９１は、所定期間毎に温度検出部１９９を含む各種センサから送られる検出結果を保持する。さらに、記憶部９１は、入力キー１１６を介して入力されたユーザの指令を保持する。
【００８５】
（３−２）ファン制御部９２
ファン制御部９２は、記憶部９１が保持するユーザからの指令を読み取り、ユーザの指令に応じた制御プログラムを記憶部９１から取得する。そして、取得した制御プログラムに応じて制御を実行する。
【００８６】
また、ファン制御部９２は、吹出口羽根モータＭ１５１及びファン５０の動作を制御する。例えば、ユーザによって運転開始指令が入力された場合には、ファン制御部９２は、吹出口羽根モータＭ１５１にパルス信号を送り駆動させて、吹出口羽根１５１を開いて吹出口１０３を露出させる。次に、ファン制御部９２は、指定した回転数でファンモータＭ１５０を駆動させる信号（以下、指定回転数駆動制御信号と記載）をファンモータ駆動部１９２に送り、ファン５０を駆動させる。また、ファン制御部９２は、ユーザによって運転停止指令が入力された場合には、ファンモータＭ１５０の駆動を停止させる信号をファンモータ駆動部１９２に送る。その後、吹出口羽根モータＭ１５１にパルス信号を送って駆動させ、吹出口羽根１５１を閉じさせる。
【００８７】
さらに、ユーザによって風量モード変更指令が入力された場合には、ファン制御部９２は、該風量モード変更指令に応じた指定回転数駆動制御信号をファンモータ駆動部１９２に送り、ファン５０の風量モードを切り換える。
【００８８】
ファン制御部９２は、最大運転タップ、強運転タップ、標準運転タップ、弱運転タップ、静運転タップからなる５つの運転タップを有している。そして、ファン制御部９２は、入力キー１１６を介して風量モード変更指令が入力された場合に、運転タップを切り換える。具体的には、ファン制御部９２は、風量モード変更指令として、最大風量運転が選択された場合には最大運転タップに、強風量運転が選択された場合には強運転タップに、標準風量運転が選択された場合には標準運転タップに、弱風量運転が選択された場合には弱運転タップに、静風量運転が選択された場合には静運転タップに、運転タップを切り換える。なお、ファン制御部９２は、運転タップ毎に定められたファンモータＭ１５０の回転数を示す回転数テーブル（図示省略）を予め保持しており、該回転数テーブルを参照することで回転数を指定している。回転数テーブルにおいてファンモータＭ１５０の回転数は、最大運転タップ、強運転タップ、標準運転タップ、弱運転タップ、静運転タップの順に小さくなるように設定されている。そして、本実施形態では、強運転タップ以上の運転タップが選択されると、除加湿空清機１００の設置された室内の上下の空気が循環するような気流が生成されるものとする。
【００８９】
また、ファン制御部９２は、サーキュレーション運転制御部９３から後述するサーキュレーション運転実行信号を受けた場合には、サーキュレーション運転制御部９３から送られる所定の制御信号に応じた運転タップを選択し、選択した運転タップの回転数を指定する。そして、ファン制御部９２は、指定回転数駆動制御信号をファンモータ駆動部１９２に送り、ファン５０を駆動させる。
【００９０】
（３−３）サーキュレーション運転制御部９３
サーキュレーション運転制御部９３は、サーキュレーターキー１１６ａを介してサーキュレーション運転導入指令が入力された場合に、ファン制御部９２にサーキュレーション運転実行信号を送り、サーキュレーション制御を実行する。
【００９１】
なお、サーキュレーション制御の実行時にはファン制御部９２の動作のみが制御されるため、現在行われている各種運転は継続される。例えば、除湿運転が行われているときにサーキュレーション運転導入指令が入力された場合には、除湿運転が継続されるように圧縮機６２の運転も継続される。また、例えば、加湿運転が行われているときにサーキュレーション運転導入指令が入力された場合には、加湿運転が継続されるように加湿ロータ７１の回転も継続される。このように、サーキュレーション運転は、現在行われている各種運転と組み合わせて実行される運転である。
【００９２】
また、サーキュレーション運転制御部９３は、図８に示すように、取得部９４、室内温度記憶部９５、算出部９６、判定部９７及び信号生成部９８を有している。
【００９３】
（３−３−１）取得部９４
取得部９４は、ユーザがサーキュレーターキー１１６ａを介してサーキュレーション運転導入指令を入力した場合に、サーキュレーション制御に関する制御プログラムを記憶部９１から取得し、かつ開始指令信号を信号生成部９８へ送る。
【００９４】
また、取得部９４は、所定時間（本実施形態では、１分）毎に、温度検出部１９９による最新の検出結果を記憶部９１から取得する。取得部９４は、取得した検出結果を室内温度記憶部９５へと送る。ただし、取得部９４は、サーキュレーション運転導入指令が入力された後判定部９７によって最新の室内温度が所定温度以上であるとされるまでの間、及び風量モードが静風量運転である間は、取得した検出結果を室内温度記憶部９５へは送らず、判定部９７へと送る。
【００９５】
なお、取得部９４が温度検出部１９９から検出結果を取得する具体的な間隔である上記所定時間については制御プログラムにおいて予め設定されている。また、以下に記載する判定をより正確に行うためには、該所定時間が０．５〜２分の範囲内にあることが好ましい。
【００９６】
（３−３−２）室内温度記憶部９５
室内温度記憶部９５は、取得部９４から送られる検出結果を順次格納する。すなわち、本実施形態の室内温度記憶部９５は、所定時間（本実施形態では、１分）毎の室内温度データを格納する。なお、室内温度記憶部９５には、取得部９４から送られる所定時間毎の室内温度データを１単位として複数単位（本実施形態では１５単位）格納されるように構成されている。そして、室内温度記憶部９５は、新たに室内温度データを格納する場合には、古い順に室内温度データを消去する。本実施形態では、取得部９４から１分毎に室内温度データが送られるため、最新の室内温度データが検出された時点を現在の時点とすると、室内温度記憶部９５には、現在の時点から遡って１５分前の時点までの１分毎の室内温度データが格納されることになる（図１０（ａ）参照）。
【００９７】
なお、室内温度記憶部９５は、後述する判定部９７から、最新の室内温度が所定温度以上でないという判定結果又は現在の風量モードが静風量運転であるという判定結果を受けた場合、及びサーキュレーション運転解除指令が入力された場合には、現在格納している室内温度データを消去するとともに、新たに室内温度データを格納する処理を行わない。
【００９８】
また、室内温度記憶部９５が格納することのできる室内温度データの単位数は、本実施形態の１５単位に限定されるものではなく、室内温度記憶部９５の容量によって適宜変更される。
【００９９】
（３−３−３）算出部９６
算出部９６は、温度検出部１９９によって検出された現在の室内温度データと、室内温度記憶部９５に格納されている所定時間以上前（本実施形態では、１５分前）の室内温度データとを所定時間（本実施形態では、１分）毎に抽出し、その温度差を算出する。本実施形態では、最新の室内温度データが室内温度記憶部９５に記憶されているため、算出部９６は、室内温度記憶部９５に記憶されている最新の室内温度データと、室内温度記憶部９５に記憶されている１５分前の室内温度データとを比較対象として抽出して、その差を算出する。
【０１００】
なお、算出部９６によって比較対象とされる室内温度データは、本実施形態の１５分前の室内温度データに限られるものではなく、室内温度記憶部９５に格納されている室内温度データであればよい。ただし、後述する判定部９７による判定の精度を保つためには、比較対象として１０分以上前の室内温度データが抽出されることが好ましい。
【０１０１】
（３−３−４）判定部９７
判定部９７は、算出部９６によって算出された温度差を受けて、第１条件及び第２条件が満たされているか否かを判定する。第１条件とは、算出部９６によって算出された温度差が、所定温度差（本実施形態では、±２℃）以下であるという条件である。第２条件とは、第１条件が所定回数（本実施形態では、１５回）連続して満たされているという条件である。
【０１０２】
また、判定部９７は、温度検出部１９９によって検出された最新の室内温度データに基づいて、現在の室内温度が所定温度（本実施形態では、１０℃）以上であるか否かを判定する。本実施形態では、判定部９７は、取得部９４から最新の室内温度データが送られる毎に、又は室内温度記憶部９５に最新の室内温度データが格納される毎に、最新の室内温度データを現在の室内温度とし、現在の室内温度が所定温度以上であるか否かを判定する。
【０１０３】
さらに、判定部９７は、現在の風量モードが静風量運転であるか否かを判定する。
【０１０４】
そして、判定部９７は、上記判定結果を、室内温度記憶部９５又は信号生成部９８へ送る。
【０１０５】
なお、第１条件の所定温度差及び第２条件の所定回数の具体的な数値、及び最新の室内温度データに関する判定の際に用いられる所定温度の具体的な数値については、制御プログラムにおいて予め設定されており、適宜変更が可能であってもよい。
【０１０６】
（３−３−５）信号生成部９８
信号生成部９８は、取得部９４からの開始指令信号を受けると、サーキュレーション運転実行信号を生成して、ファン制御部９２へ出力する。
【０１０７】
また、信号生成部９８は、判定部９７からの判定結果を受けると、制御信号を生成して、ファン制御部９２へ出力する。具体的には、信号生成部９８は、第１条件を満たしていないという判定結果、第２条件を満たしていないという判定結果、最新の室内温度が所定温度以上であるという判定結果、及び現在の風量モードが静風量運転であるという判定結果を判定部９７から受けると、風量モードが強風量運転となる制御信号（以下、強運転タップ信号と記載）を生成して、ファン制御部９２へ出力する。また、信号生成部９８は、第２条件を満たしているという判定結果を判定部９７から受けると、風量モードが標準風量運転となる制御信号（以下、標準運転タップ信号と記載）を生成して、ファン制御部９２へ出力する。さらに、信号生成部９８は、最新の室内温度が所定温度以上でない（すなわち、最新の室内温度が所定温度未満である）という判定結果を判定部９７から受けると、風量モードが静風量運転となる制御信号（以下、静運転タップ信号と記載）を生成して、ファン制御部９２へ出力する。
【０１０８】
（４）サーキュレーション運転制御部９３の処理の流れ
以下、図９を参照して、サーキュレーション制御の一例について説明する。図９は、サーキュレーション運転制御部９３の処理の流れを示すフローチャートである。なお、以下は処理の一例であって、サーキュレーション運転制御部９３は、これと異なる流れの処理を実行してもよい。
【０１０９】
除加湿空清機１００が運転状態にある場合において、サーキュレーション運転導入指令が入力されると、取得部９４が、サーキュレーション制御に関する制御プログラムを記憶部９１から取得する。そして、取得部９４は、当該制御プログラムに沿って、開始指令信号を信号生成部９８へ送り、かつ温度検出部１９９による最新の室内温度データを記憶部９１から取得して判定部９７へ送る。信号生成部９８は、取得部９４からの開始指令信号を受けると、サーキュレーション運転実行信号を生成して、ファン制御部９２へ出力する。
【０１１０】
ステップＳ１においては、判定部９７が、取得部９４から送られる温度検出部１９９の最新の室内温度データを受けて、現在の室内温度が所定温度（本実施形態では、１０℃）以上であるか否かを判定する。判定結果がＮＯの場合（すなわち、所定温度未満である場合）には、ステップＳ２へ進む。一方、判定結果がＹＥＳの場合（すなわち、所定温度以上である場合）には、ステップＳ３へ進む。
【０１１１】
ステップＳ２においては、現在の室内温度が所定温度以上でない（すなわち、現在の室内温度が所定温度未満である）という判定結果を判定部９７から受けて、信号生成部９８は、静運転タップ信号を生成して、ファン制御部９２へ出力する。ファン制御部９２は、信号生成部９８からの静運転タップ信号を受けると、静運転タップを選択し、指定回転数駆動制御信号をファンモータ駆動部１９２に送る（ただし、既に風量モードが静風量運転である場合には、出力しない）。これにより、ファン５０の風量モードが静風量運転に切り換わる。そして、ステップＳ１へ戻る。
【０１１２】
ステップＳ３においては、現在の室内温度が所定温度以上であるという判定結果、又はステップＳ７における現在の風量モードが静風量運転であるという判定結果を判定部９７から受けて、信号生成部９８は、強運転タップ信号を生成して、ファン制御部９２へ出力する。ファン制御部９２は、信号生成部９８からの強運転タップ信号を受けると、強運転タップを選択し、指定回転数駆動制御信号をファンモータ駆動部１９２に送る（ただし、既に風量モードが強風量運転である場合には、出力しない）。これにより、ファン５０の風量モードが強風量運転に切り換わる。そして、風量モードが強風量運転に切り換わった状態で、取得部９４から送られる室内温度データが室内温度記憶部９５に順次格納される。
【０１１３】
ステップＳ４においては、サーキュレーション運転制御部９３によって、サーキュレーション運転解除指令が入力されたか否かが判断される。そして、判断結果がＮＯの場合（すなわち、サーキュレーション運転解除指令が入力されていない場合）には、ステップＳ５へ進む。一方、判断結果がＹＥＳの場合（すなわち、サーキュレーション運転解除指令が入力されている場合）には、サーキュレーション運転制御部９３は、サーキュレーション制御の実行を終了する。
【０１１４】
ステップＳ５においては、室内温度記憶部９５に複数単位（本実施形態では１５単位）のデータが格納されたとき（すなわち、現在の時点から遡って１５分前の時点までの室内温度データが蓄積されたとき）に、判定部９７が、現在の室内温度が所定温度（本実施形態では、１０℃）以上であるか否かを判定する。そして、判定結果がＮＯの場合（すなわち、所定温度未満である場合）には、ステップＳ６へ進む。一方、判定結果がＹＥＳの場合（すなわち、所定温度以上である場合）には、ステップＳ７へ進む。
【０１１５】
ステップＳ６においては、現在の室内温度が所定温度以上でない（すなわち、現在の室内温度が所定温度未満である）という判定結果を判定部９７から受けて、信号生成部９８は、静運転タップ信号を生成して、ファン制御部９２へ出力する。ファン制御部９２は、信号生成部９８からの静運転タップ信号を受けると、静運転タップを選択し、指定回転数駆動制御信号をファンモータ駆動部１９２に送る（ただし、既に風量モードが静風量運転である場合には、出力しない）。これにより、ファン５０の風量モードが静風量運転に切り換わる。そして、ステップＳ４へと戻る。
【０１１６】
ステップＳ７においては、判定部９７が、現在の風量モードが静風量運転であるか否かを判定する。そして、判定結果がＹＥＳの場合（すなわち、現在の風量モードが静風量運転である場合）には、ステップＳ３へ戻る。一方、判定結果がＮＯの場合（すなわち、現在の風量モードが強風量運転又は標準風量運転である場合）には、ステップＳ８へ進む。
【０１１７】
ステップＳ８においては、判定部９７によって第１条件が満たされているか否かが判定される。具体的には、まず、算出部９６が、室内温度記憶部９５に記憶されている最新の室内温度データと、所定時間（本実施形態では、１５分）前の室内温度データとを比較対象として抽出し、その差を算出する。算出部９６によって算出された温度差を受けて、判定部９７は、該温度差が所定温度差（本実施形態では、±２℃）以下であるか否かを判定する。そして、判定結果がＮＯの場合（すなわち、該温度差が±２℃より大きい場合）には、ステップＳ９へ進む。一方、判定結果がＹＥＳの場合（すなわち、該温度差が±２℃以下である場合）には、ステップＳ１０へ進む。
【０１１８】
ステップＳ９においては、第１条件、又はステップＳ１０における第２条件が満たされていないという判定結果を判定部９７から受けて、信号生成部９８は、強運転タップ信号を生成してファン制御部９２へ出力する。ファン制御部９２は、信号生成部９８からの強運転タップ信号を受けると、強運転タップを選択し、指定回転数駆動制御信号をファンモータ駆動部１９２に送る（ただし、既に風量モードが強風量運転である場合には出力しない）。これにより、ファン５０の風量モードが強風量運転に切り換わる。そして、ステップＳ４へ戻る。
【０１１９】
ステップＳ１０においては、判定部９７によって第２条件が満たされているか否かが判定される。具体的には、第１条件が所定回数（本実施形態では、１５回）連続して満たされているか否かが、判定部９７によって判定される。そして、判定結果がＮＯの場合（すなわち、１５回連続して第１条件が満たされていると判定されなかった場合）には、ステップＳ９へ進む。一方、判定結果がＹＥＳの場合（すなわち、１５回連続して第１条件が満たされていると判定された場合）には、ステップＳ１１へ進む。
【０１２０】
ステップＳ１１においては、第２条件が満たされているという判定結果を判定部９７から受けて、信号生成部９８は、標準運転タップ信号を生成して、ファン制御部９２へ出力する。ファン制御部９２は、信号生成部９８からの標準運転タップ信号を受けると、標準運転タップを選択し、指定回転数駆動制御信号をファンモータ駆動部１９２に送る。これにより、ファン５０の風量モードが標準風量運転に切り換わる。そして、ステップＳ４へ戻る。
【０１２１】
（５）特徴
（５−１）
従来のサーキュレーション制御としては、一定時間内に検出された室内温度のうち最高の室内温度又は最低の室内温度と現在の室内温度とが比較され、その温度差が所定温度差以上である場合に風量を大きくすることで、室内の上部と下部とに生じた温度ムラを解消するものがある。すなわち、従来のサーキュレーション制御では、室内に温度ムラが生じているか否かの判断が、一定時間内に検出された室内温度のうち最高の室内温度又は最低の室内温度と、現在の室内温度との温度差に基づいて行われていることになる。そうすると、例えば窓が開けられて室内の温度が急激に下がるなど一定時間内に一時的に変化した室内温度が現在の室内温度と比較される可能性があり、実際には室内に温度ムラが生じていないにも拘わらず比較された温度差が所定温度差以上となることで、室内に温度ムラが生じていると判断されるおそれがある。このように、従来のサーキュレーション制御では、室内に温度ムラが生じているか否かが誤って判断されるおそれがある。
【０１２２】
そこで、本実施形態では、室内温度記憶部９５に記憶されている最新の室内温度データと、１５分前の室内温度データとが比較され、その温度差が算出される。そして、該温度差が±２℃以下であるという第１条件が１５回連続して満たされていると判定されたときに、第２条件が満たされていると判定される。そして、第２条件が満たされていると判定された場合であって、ファン５０の風量モードが強風量運転である場合には、ファン５０の風量モードが強風量運転から標準風量運転に切り換えられる。このように、最新（現在）の室内温度データと１５分前の過去の室内温度データとが比較対象とされてその温度差が算出され、その温度差が±２℃以下である状態が１５回連続したとき（すなわち、該温度差が±２℃以下である状態が１５分間継続したとき）に、ファン５０の風量モードが小さく切り換えられることから、例えば一定時間内に検出された室内温度のうち最高の室内温度又は最低の室内温度と現在の室内温度とが比較されてその温度差に基づいてファン５０の風量が切り換えられるよりも、サーキュレーション制御において室内に温度ムラが生じているか否かの判断を正確に行うことができる。
【０１２３】
これによって、サーキュレーション制御において、室内に温度ムラが生じているか否かが誤って判断されるおそれを低減することができている。
【０１２４】
（５−２）
室内の温度が低いときにファン５０の風量が大きいと、室内に居るユーザが寒さを感じてしまうおそれがある。
【０１２５】
そこで、本実施形態では、サーキュレーション制御において、ファン５０の風量モードが強風量運転である場合に、現在の室内温度が１０℃未満であると判定されると、ファン５０の風量モードが強風量運転から静風量運転に切り換えられる。このため、サーキュレーション制御の実行中であっても、室内に居るユーザに寒さを感じさせるおそれを低減することができている。
【０１２６】
（５−３）
本実施形態では、静風量運転の方が標準風量運転よりも風量が小さい。このため、サーキュレーション制御において、現在の室内温度が１０℃未満であると判定されると、ファン５０の風量モードが標準風量運転に切り換えられるよりも、室内に居るユーザに寒さを感じさせるおそれを低減することができている。
【０１２７】
（５−４）
室内空間が大きければ大きいほど、室内の温度変化が生じ難い傾向にある。そうすると、サーキュレーション制御において、現在の室内温度と過去の室内温度との温度差が小さいときにファン５０の風量が小さくなるように切り換えられる場合、室内の温度変化が生じ難い状況であれば、温度差の算出される対象となる現在と過去との間の時間の間隔が短すぎると、室内に温度ムラが生じているか否かが誤って判断されるおそれがある。
【０１２８】
そこで、本実施形態では、最新の室内温度データと、室内温度記憶部９５に格納されている１５分前の室内温度データとが比較対象とされて、その温度差が算出されている。このため、例えば現在の室内温度と現在から５分前の室内温度とが比較されるよりも、室内に温度ムラが生じているか否かが誤って判断されるおそれを低減することができている。
【０１２９】
（５−５）
図１０（ａ）は、本実施形態の室内温度記憶部９５に格納される室内温度データと時間との関係を示す概念図である。図１０（ｂ）は、比較例の室内温度記憶部に格納される室内温度データと時間との関係を示す概念図である。
【０１３０】
本実施形態では、室内温度記憶部９５には、取得部９４から送られる１分毎の室内温度データ（図１０に示すａ−ｑ参照）が格納される。また、本実施形態では、室内温度記憶部９５に格納されている最新の室内温度データと現在から１５分前の室内温度データとが比較対象とされる。例えば図１０に示すIでは、室内温度記憶部９５に格納されている最新の室内温度データｏと、１５分前の室内温度データａとが比較対象とされ、IIでは、室内温度記憶部９５に格納されている最新の室内温度データｐと、１５分前の室内温度データｂとが比較対象とされ、IIIでは、室内温度記憶部９５に格納されている最新の室内温度データｑと、１５分前の室内温度データｃとが比較対象とされる。このため、室内温度記憶部９５に格納されている個々の室内温度データの時間間隔（１分間隔）は、比較対象とされる室内温度データ同士の時間間隔（１５分間隔）よりも短いことになる。したがって、ファン５０の風量を切り換えるか否かが判定される際に比較される室内温度データがオーバーラップすることになる。これにより、例えば図１０（ｂ）に示すように、室内温度データが１５分毎に室内温度記憶部９５に格納されており、最新の室内温度データ（Iではｏ、IIではｄ’、IIIではｓ’）と現在から１５分前の室内温度データ（Iではａ、IIではｏ、IIIではｄ’）とが比較対象とされる場合と比較して、室内の温度変化を細やかに判断することができている。
【０１３１】
（５−６）
本実施形態では、ステップＳ１１において第２条件が満たされているという判定されてファン５０の風量モードが強風量運転から標準風量運転に切り換えられた後に、ステップＳ４、ステップＳ５、ステップＳ６及びステップＳ７を経て、ステップＳ８において、第１条件が満たされていない（すなわち、最新の室内温度データと１５分前の過去の室内温度データとの温度差が±２℃より大きい）と判定された場合には、ファン５０の風量モードが標準風量運転から強風量運転に切り換えられる。このように、サーキュレーション制御の実行中には、第１条件が満たされているか否かが繰り返し判定され、該判定結果に応じてファン５０の風量モードが切り換えられるため、室内に温度ムラが生じている状態が長時間続くことを防止することができている。
【０１３２】
（５−７）
本実施形態では、吹出口１０３から吹き出される空気はフィルタユニット３０を通過しているため、サーキュレーション制御が実行されることで、室内の温度ムラを解消しつつ、室内の空気を清浄化することができている。
【０１３３】
（５−８）
ところで、例えばサーキュレーション制御として、現在の室内の温度と過去の室内の温度との温度差が所定温度差以上であれば、ファン５０の風量モードが一定時間だけ所定の風量モードに強制的に切り換わるような制御が行われる場合、その一定時間の間は、室内の温度変化に対応することができず、室内の温度状況に合わせた風量モードに変更することができない。
【０１３４】
これに対して、本実施形態では、室内温度記憶部９５には１分毎に室内温度データが格納され、室内温度記憶部９５に記憶されている最新の室内温度データと１５分前の室内温度データとが比較対象とされて温度差が算出され、その温度差が±２℃以上であるか否かが１分毎に判定される。すなわち、本実施形態では、第１条件が満たされているか否かが１分毎に判定されており、この判定結果に応じて風量モードが切り換えられるため、ファン５０の風量モードが一定時間強制的に所定の風量モードに切り換えられるよりも、室内の温度状況に合わせた風量モードに変更することができている。
【０１３５】
（５−９）
本実施形態では、現在の風量モードが静風量運転であるという判定結果を判定部９７から受けた場合、室内温度記憶部９５は、現在格納している室内温度データを消去するとともに、室内温度データを新たに格納しない。すなわち、室内温度記憶部９５には、風量モードが強風量運転である場合及び標準風量運転である場合の室内温度データが格納されることになる。そして、算出部９６が温度差を算出する際に比較対象とする室内温度データは室内温度記憶部９５に格納されている室内温度データであることから、風量モードが強風量運転である場合及び標準風量運転である場合に、第１条件及び第２条件が満たされているか否かが判定されることになる。そして、本実施形態では、室内温度記憶部９５に記憶されている最新の室内温度データと１５分前の室内温度データとの温度差が算出部９６によって算出され、その温度差が±２℃以下であるという第１条件が１５回連続して満たされていると判定されたときに第２条件が満たされていると判定される。すなわち、第２条件が満たされていると判定される場合には、風量モードとして、強風量運転又は標準風量運転が少なくとも３０分間継続していることになる。
【０１３６】
（６）変形例
（６−１）変形例Ａ
上記実施形態では、運転モードとして、サーキュレーション運転の他に、空気清浄運転、除湿運転及び加湿運転を備えた除加湿空清機の例を挙げているが、これに限定されず、少なくともサーキュレーション運転を備えていればよい。すなわち、温度検出部１９９、ファン５０及び制御装置９０を備えた送風装置であればよい。
【０１３７】
（６−２）変形例Ｂ
上記実施形態では、強運転タップ以上の運転タップが選択されると、除加湿空清機１００の設置された室内の上下の空気が循環するような気流が生成される。したがって、上記実施形態では、サーキュレーション制御において、ファン５０の風量モードとして強風量運転が選択されると、室内の上下の空気が循環するような気流が生成されるため、室内の温度ムラを解消することができる。
【０１３８】
ところで、サーキュレーション制御において、第１条件又は第２条件が満たされていないと判定されたときに選択されるファン５０の風量は、室内の上下の空気が循環するような気流が生成される風量であればよく、上記実施形態の強風量運転に限定されるものではない。さらに、第２条件が満たされていると判定されたときに切り換えられるファン５０の風量モードは、上記実施形態の標準風量運転に限定されるものではなく、室内の温度ムラを解消するための風量よりも小さい風量に相当する運転モードであればよい。
【０１３９】
さらに、上記実施形態では、サーキュレーション制御において、ファン５０の風量モードが強風量運転である場合に、現在の室内温度が１０℃未満であると判定されると、ファン５０の風量モードが強風量運転から静風量運転に切り換えられている。しかしながら、サーキュレーション制御において、ファン５０の風量モードが強風量運転である場合に、現在の室内温度が１０℃未満であると判定されたときに切り換えられるファン５０の風量モードは、強風量運転よりも小さい風量であればよく、静風量運転に限定されるものではない。
【産業上の利用可能性】
【０１４０】
本発明は、室内に温度ムラが生じているか否かが誤って判断されるおそれを低減することができるものであり、温度ムラを解消するために室内の空気を循環させるサーキュレーション制御を実行可能な送風装置への適用が有効である。
【符号の説明】
【０１４１】
３０      フィルタユニット（空気清浄部）
５０      ファン
９０      制御装置
９５      室内温度記憶部（記憶部）
１００      除加湿空気清浄機（送風装置）
１９９      温度検出部（検出部）
【先行技術文献】
【特許文献】
【０１４２】
【特許文献１】特開２００１−４１５１８号公報
【図１】
2015025638.tif 000003
【図２】
2015025638.tif 000004
【図３】
2015025638.tif 000005
【図４】
2015025638.tif 000006
【図５】
2015025638.tif 000007
【図６】
2015025638.tif 000008
【図７】
2015025638.tif 000009
【図８】
2015025638.tif 000010
【図９】
2015025638.tif 000011
【図１０】
2015025638.tif 000012